【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
鍛造品の成形方法であって、
第１金型（２０）を用いて、第１鍛造品（３０）を形成する第１工程と、
第２金型（４０）を用いて、前記第１鍛造品（３０）の余肉部を圧縮してサイジングする第２工程とを備え、
前記第１金型（２０）は、素材（１６）が摺動する第１摺動面（２５）と、前記素材（１６）を押圧する第１押圧面（２６）とを含み、その第１押圧面（２６）は、少なくとも１の特定摺動面（２７）に対し、その特定摺動面（２７）に近付くほど、前記素材（１６）が金型に入っていく方向に対して後退する向きに傾斜しており、
前記第２金型（４０）は、第２摺動面（４２）と第２押圧面（４３）とを含み、前記第２摺動面（４２）で前記第１鍛造品（３０）の外周面を拘束しつつ、前記第２押圧面（４３）で端部を圧縮し、前記第２押圧面（４３）の特定摺動面（４４）に対する傾き（θ２）が、前記第１押圧面（２６）の特定摺動面（２７）に対する傾き（θ１）と異なっていることを特徴とする鍛造品の成形方法。
【請求項２】
鍛造品の成形方法であって、
第１金型（２０Ｂ）を用いて、第１鍛造品（３０）を形成する第１工程と、
第２金型（４０Ｂ）を用いて、前記第１鍛造品（３０）の余肉部を圧縮してサイジングする第２工程とを備え、
前記第１金型（２０Ｂ）は、素材（１６）が摺動する第１摺動面（２５Ｂ）と、前記素材（１６）を押圧する第１押圧面（２６Ｂ）とを含み、その第１押圧面（２６Ｂ）は、その特定摺動面（２７Ｂ）に近付くほど、前記素材（１６）が金型に入っていく方向に対して後退する向きに湾曲しており、
前記第２金型（４０Ｂ）は、前記第１鍛造品（３０）が摺動する第２摺動面（４２Ｂ）と、前記第１鍛造品（３０）を押圧する第２押圧面（４３Ｂ）とを含み、その第２押圧面（４３Ｂ）は、その特定摺動面（４４Ｂ）に近付くほど、前記第１鍛造品（３０）が金型に入っていく方向に対して後退する向きに湾曲し、
前記第１押圧面（２６Ｂ）と前記第２押圧面（４３Ｂ）とは、湾曲形状が互いに異なっていることを特徴とする鍛造品の成形方法。
【請求項３】
前記第１金型（２０）及び前記第２金型（４０）により、相手部材に噛み合う歯状の噛み合い部（３２）を成形することを特徴とする請求項１又は請求項２記載の鍛造品の成形方法。
【請求項４】
前記第１押圧面（２６、２６Ｂ）及び前記第２押圧面（４３、４３Ｂ）により、前記噛み合い部（３２）に、相手部材との噛み合いの際に噛み合い開始点として機能する先端部（３３）を形成することを特徴とする請求項１、請求項２又は請求項３記載の鍛造品の成形方法。
【請求項５】
鍛造により第１鍛造品（３０）を得る第１金型（２０）と、前記第１鍛造品（３０）を本成形する第２金型（４０）とからなる鍛造用金型であって、
前記第１金型（２０）は、素材（１６）が摺動する第１摺動面（２５）と、前記素材（１６）を押圧する第１押圧面（２６）とを含み、その第１押圧面（２６）は、少なくとも１の特定摺動面（２７）に対し、その特定摺動面（２７）に近付くほど、前記素材（１６）が金型に入っていく方向に対して後退する向きに傾斜しており、
前記第２金型（４０）は、第２摺動面（４２）と第２押圧面（４３）とを含み、この第２摺動面（４２）で前記第１鍛造品（３０）の外周面を拘束しつつ、前記第２押圧面（４３）で端部を圧縮し、前記第２押圧面（４３）の特定摺動面（４４）に対する傾き（θ２）が、前記第１押圧面（２６）の特定摺動面（２７）に対する傾き（θ１）と異なっていることを特徴とする鍛造用金型。
【請求項６】
前記第２押圧面（４３）の特定摺動面（４４）に対する傾き（θ２）は、前記第１押圧面（２６）の特定摺動面に対する傾き（θ１）より小さいことを特徴とする請求項５記載の鍛造用金型。
【請求項７】
前記第１押圧面（２６）は、稜線（２８）を挟む複数の面（２６Ｌ、２６Ｒ）からなり、前記稜線（２８）は、当該稜線（２８）の一端に接続する前記摺動面（２７）に近づくほど、前記素材（１６）が入っていく方向に対して後退することを特徴とする請求項５又は請求項６記載の鍛造用金型。
【請求項８】
鍛造により第１鍛造品（３０）を得る第１金型（２０Ｂ）と、前記第１鍛造品（３０）を本成形する第２金型（４０Ｂ）とからなる鍛造用金型であって、
前記第１金型（２０Ｂ）は、素材（１６）が摺動する第１摺動面（２５Ｂ）と、前記素材（１６）を押圧する第１押圧面（２６Ｂ）とを含み、その第１押圧面（２６Ｂ）は、その特定摺動面（２７Ｂ）に近付くほど、前記素材（１６）が金型に入っていく方向に対して後退する向きに湾曲しており、
前記第２金型（４０Ｂ）は、前記第１鍛造品（３０）が摺動する第２摺動面（４２Ｂ）と、前記第１鍛造品（３０）を押圧する第２押圧面（４３Ｂ）とを含み、その第２押圧面（４３Ｂ）は、その特定摺動面（４４Ｂ）に近付くほど、前記第１鍛造品（３０）が金型に入っていく方向に対して後退する向きに湾曲し、
前記第１押圧面（２６Ｂ）と前記第２押圧面（４３Ｂ）とは、湾曲形状が互いに異なっていることを特徴とする鍛造用金型。
【手続補正２】
【補正対象書類名】明細書
【補正対象項目名】０００８
【補正方法】変更
【補正の内容】
【０００８】
請求項１に係る発明は、鍛造品の成形方法であって、
第１金型を用いて、第１鍛造品を形成する第１工程と、
第２金型を用いて、前記第１鍛造品の余肉部を圧縮してサイジングする第２工程とを備え、
前記第１金型は、素材が摺動する第１摺動面と、前記素材を押圧する第１押圧面とを含み、その第１押圧面は、少なくとも１の特定摺動面に対し、その特定摺動面に近付くほど、前記素材が金型に入っていく方向に対して後退する向きに傾斜しており、
前記第２金型は、第２摺動面と第２押圧面とを含み、前記第２摺動面で前記第１鍛造品の外周面を拘束しつつ、前記第２押圧面で端部を圧縮し、前記第２押圧面の特定摺動面に対する傾きが、前記第１押圧面の特定摺動面に対する傾きと異なっていることを特徴とする。
【手続補正３】
【補正対象書類名】明細書
【補正対象項目名】０００９
【補正方法】変更
【補正の内容】
【０００９】
請求項２に係る発明は、鍛造品の成形方法であって、
第１金型を用いて、第１鍛造品を形成する第１工程と、
第２金型を用いて、前記第１鍛造品の余肉部を圧縮してサイジングする第２工程とを備え、
前記第１金型は、素材が摺動する第１摺動面と、前記素材を押圧する第１押圧面とを含み、その第１押圧面は、その特定摺動面に近付くほど、前記素材が金型に入っていく方向に対して後退する向きに湾曲しており、
前記第２金型は、前記第１鍛造品が摺動する第２摺動面と、前記第１鍛造品を押圧する第２押圧面とを含み、その第２押圧面は、その特定摺動面に近付くほど、前記第１鍛造品が金型に入っていく方向に対して後退する向きに湾曲し、
前記第１押圧面と前記第２押圧面とは、湾曲形状が互いに異なっていることを特徴とする。
【手続補正４】
【補正対象書類名】明細書
【補正対象項目名】００１５
【補正方法】変更
【補正の内容】
【００１５】
請求項８に係る発明では、鍛造により第１鍛造品を得る第１金型と、前記第１鍛造品を本成形する第２金型とからなる鍛造用金型であって、
前記第１金型は、素材が摺動する第１摺動面と、前記素材を押圧する第１押圧面とを含み、その第１押圧面は、その特定摺動面に近付くほど、前記素材が金型に入っていく方向に対して後退する向きに湾曲しており、
前記第２金型は、前記第１鍛造品が摺動する第２摺動面と、前記第１鍛造品を押圧する第２押圧面とを含み、その第２押圧面は、その特定摺動面に近付くほど、前記第１鍛造品が金型に入っていく方向に対して後退する向きに湾曲し、
前記第１押圧面と前記第２押圧面とは、湾曲形状が互いに異なっていることを特徴とする。
【手続補正５】
【補正対象書類名】明細書
【補正対象項目名】００２６
【補正方法】変更
【補正の内容】
【００２６】
図１（ａ）に想像線で示す円柱素材１１を、潰すことで実線で示す潰し品１２を得る（潰し工程）。次に、潰し品１２をダイに収め、パンチで下向きに押圧することで、図１（ｂ）に示すように上部中央に凹部１３を有する粗成形品１４を得る。図１（c）に示すように粗成形品１４にピアスパンチで中央穴１５を開けることでピアス品１６を得る（ピアス工程）。
【手続補正６】
【補正対象書類名】明細書
【補正対象項目名】００４６
【補正方法】変更
【補正の内容】
【００４６】
次に、本発明の第１・第２金型の変更例を説明する。
図４で説明した第１押圧面２６は、角度θ１だけ傾斜している斜面であった。このような第１押圧面２６は、非湾曲面の他、湾曲面とすることもできる。その具体例を図１３で説明する。
図１３に示すように、第１金型２０Ｂは、第１摺動面２５Ｂと第１押圧面２６Ｂを含み、第１金型２０Ｂの要部である第１ダイ２３Ｂでは、特定摺動面２７Ｂの下端から曲率半径Ｒ１で湾曲した第１押圧面２６Ｂが第１ダイ２３Ｂの中心に向かって延びている。
【手続補正７】
【補正対象書類名】明細書
【補正対象項目名】００４８
【補正方法】変更
【補正の内容】
【００４８】
図９で説明した第２押圧面４３は、角度θ２だけ傾斜している斜面であった。このような第２押圧面４３は、非湾曲面の他、湾曲面とすることもできる。その具体例を図１４で説明する。
図１４に示すように、第２金型４０Ｂは、第１摺動面４２Ｂと第１押圧面４４Ｂを含み、第２金型４０Ｂの要部である第２ダイ４１Ｂでは、特定摺動面４４Ｂの下端から曲率半径Ｒ２で湾曲した第２押圧面４３Ｂが第１ダイ４１Ｂの中心に向かって延びている。
【手続補正８】
【補正対象書類名】明細書
【補正対象項目名】００５１
【補正方法】変更
【補正の内容】
【００５１】
１６…素材（ピアス品）、２０、２０Ｂ…第１金型、２５、２５Ｂ…第１摺動面、２６、２６Ｂ…第１押圧面、２７、２７Ｂ…第１金型での特定摺動面、３０…第１鍛造品、３２…第１鍛造品での噛み合い部（第１噛み合い部）、３３…第１鍛造品での先端部（第１先端部）、３４…第１鍛造品での噛み合い開始点、４０、４０Ｂ…第２金型、４２、４２Ｂ…第２摺動面、４３、４３Ｂ…第２押圧面、４４、４４Ｂ…第２金型での特定摺動面、５０…鍛造品、５２…鍛造品での噛み合い部（第２噛み合い部）、５３…鍛造品での先端部（第２先端部）、５４…鍛造品での噛み合い開始点、θ１…第１押圧面の特定摺動面に対する傾き、θ２…第２押圧面の特定摺動面に対する傾き、Ｒ１…第１押圧面の曲率半径、Ｒ２…第２押圧面の曲率半径。
【手続補正９】
【補正対象書類名】図面
【補正対象項目名】図５
【補正方法】変更
【補正の内容】
【図５】
2014208372.tif 000001
【手続補正１０】
【補正対象書類名】図面
【補正対象項目名】図１０
【補正方法】変更
【補正の内容】
【図１０】
2014208372.tif 000002
【手続補正１１】
【補正対象書類名】図面
【補正対象項目名】図１３
【補正方法】変更
【補正の内容】
【図１３】
2014208372.tif 000003
【手続補正１２】
【補正対象書類名】図面
【補正対象項目名】図１４
【補正方法】変更
【補正の内容】
【図１４】
2014208372.tif 000004